【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
一対の累進眼用レンズを決定する方法であって、
前記一対のレンズの各々の処方遠方視平均屈折力（ＰＦＶ）を決定する工程と、
前記一対のレンズの各々の処方加入度（Ａ）を決定する工程と、
装着者の左右差を判断する工程と、
前記一対のレンズの各々の側頭側と鼻側を定義する工程と、
装着される各レンズ上で、並びに俯角（α）及び方位角（β）に対応する各注視方向に対し、屈折力（Ｐα，β）及び発生非点収差のモジュール（Ａｓｒα，β）を定義する工程と、
前記一対のレンズの各々に対して近方視注視方向（αＰＶ，βＰＶ）を定義する工程と、
前記一対のレンズの各々に対して、近方視注視方向（αＰＶ，βＰＶ）と、前記屈折力が、前記処方遠方視平均屈折力＋前記処方加入度の３／４の値に達する（ＰＦＶ＋３／４＊Ａ）場合の前記レンズの前記側頭側の注視方向（αＰＶ，βＴＰ）との間の一定の俯角（α）における角距離として屈折力の側頭半値幅視野（ＴＰ＿ＬＥ，ＴＰ＿ＲＥ）を定義する工程と、
前記一対のレンズの各々に対して、前記近方視注視方向（αＰＶ，βＰＶ）と、前記屈折力が、前記処方遠方視平均屈折力＋前記処方加入度の３／４の値に達する（ＰＦＶ＋３／４＊Ａ）場合の前記レンズの鼻側の注視方向（αＰＶ、βＮＰ）との間の一定の俯角（α）における角距離として屈折力の鼻半値幅視野（ＮＰ＿ＬＥ、ＮＰ＿ＲＥ）を定義する工程と、
前記一対のレンズの各々に対して、前記近方視注視方向（αＰＶ，βＰＶ）と、前記発生非点収差のモジュールが前記処方加入度の４分の１（Ａ／４）の値に達する場合の前記レンズの前記側頭側の注視方向（αＰＶ，βＴＡ）との間の一定の俯角（α）における角距離として発生非点収差のモジュールの側頭半値幅視野（ＴＡ＿ＬＥ，ＴＡ＿ＲＥ）を定義する工程と、
前記一対のレンズの各々に対して、前記近方視注視方向（αＰＶ，βＰＶ）と、発生非点収差の前記モジュールが前記処方加入度の４分の１（Ａ／４）の値に達する場合の前記レンズの前記鼻側の注視方向（αＰＶ，βＰＶ）との間の一定の俯角（α）における前記角距離として発生非点収差のモジュールの鼻半値幅視野（ＮＡ＿ＬＥ，ＮＡ＿ＲＥ）を定義する工程と、を含み、
屈折力の側頭半値幅視野と鼻半値幅視野の差と和との比（（ＴＰ＿ＬＥ−ＮＰ＿ＬＥ）／（ＴＰ＿ＬＥ＋ＮＰ＿ＬＥ）、（ＴＰ＿ＲＥ−ＮＰ＿ＲＥ）／（ＴＰ＿ＲＥ＋ＮＰ＿ＲＥ））及び／又は発生非点収差のモジュールの側頭半値幅視野と鼻半値幅視野の差と和との比（（ＴＡ＿ＬＥ−ＮＡ＿ＬＥ）／（ＴＡ＿ＬＥ＋ＮＡ＿ＬＥ）、（ＴＡ＿ＲＥ−ＮＡ＿ＲＥ）／（ＴＡ＿ＲＥ＋ＮＡ＿ＲＥ））は前記装着者の前記左右差に基づき前記一対のレンズの各々に対して決定される、方法。
【請求項２】
前記装着者の前記左右差が左利きであると判断される場合、屈折力の前記側頭半値幅視野と前記鼻半値幅視野の差と和との比は右眼レンズに対して０より小さい又は０にほぼ等しい値に設定される（（ＴＰ＿ＲＥ−ＮＰ＿ＲＥ）／（ＴＰ＿ＲＥ＋ＮＰ＿ＲＥ）≦０）、及び／又は発生非点収差のモジュールの側頭半値幅視野と鼻半値幅視野の差と和との比は前記右眼レンズに対して０より小さい又は０にほぼ等しい値に設定される（ＴＡ＿ＲＥ−ＮＡ＿ＲＥ）／（ＴＡ＿ＲＥ＋ＮＡ＿ＲＥ）≦０）、及び屈折力の側頭半値幅視野と鼻半値幅視野の差と和との比は左眼レンズに対して０より大きい又は０にほぼ等しい値に設定される（ＴＰ＿ＬＥ−ＮＰ＿ＬＥ）／（ＴＰ＿ＬＥ＋ＮＰ＿ＬＥ）≧０）、及び／又は発生非点収差のモジュールの側頭半値幅視野と鼻半値幅視野の差と和との比は前記左眼レンズに対して０より大きい又は０にほぼ等しい値に設定される（ＴＡ＿ＬＥ−ＮＡ＿ＬＥ）／（ＴＡ＿ＬＥ＋ＮＡ＿ＬＥ）≧０）又は
前記装着者の左右差が右利きであると判断される場合、屈折力の前記側頭半値幅視野と前記鼻半値幅視野の差と和との比は前記右眼レンズに対して０より大きい又は０にほぼ等しい値に設定される（（ＴＰ＿ＲＥ−ＮＰ＿ＲＥ）／（ＴＰ＿ＲＥ＋ＮＰ＿ＲＥ）≧０）、及び／又は発生非点収差のモジュールの側頭半値幅視野と鼻半値幅視野の差と和との比は前記右眼レンズに対して０より大きい又は０にほぼ等しい値に設定される（ＴＡ＿ＲＥ−ＮＡ＿ＲＥ）／（ＴＡ＿ＲＥ＋ＮＡ＿ＲＥ）≧０）、及び屈折力の側頭半値幅視野と鼻半値幅視野の差と和との比は前記左眼レンズに対して０より小さい又は０にほぼ等しい値に設定される（（ＴＰ＿ＬＥ−ＮＰ＿ＬＥ）／（ＴＰ＿ＬＥ＋ＮＰ＿ＬＥ）≦０）、及び／又は発生非点収差のモジュールの側頭半値幅視野と鼻半値幅視野の差と和との比は前記左眼レンズに対して０より小さい又は０にほぼ等しい値に設定される（（ＴＡ＿ＬＥ−ＮＡ＿ＬＥ）／（ＴＡ＿ＬＥ＋ＮＡ＿ＬＥ）≦０）、請求項１に記載の方法。
【請求項３】
前記右眼レンズの屈折力の側頭半値幅視野と鼻半値幅視野の差と和との比と前記左眼レンズの屈折力の側頭半値幅視野と鼻半値幅視野の差と和との比の合計はほぼ０に設定される（（ＴＰ＿ＲＥ−ＮＰ＿ＲＥ）／（ＴＰ＿ＲＥ＋ＮＰ＿ＲＥ）＋（ＴＰ＿ＬＥ−ＮＰ＿ＬＥ）／（ＴＰ＿ＬＥ＋ＮＰ＿ＬＥ）＝０）、請求項２に記載の方法。
【請求項４】
前記右眼レンズの発生非点収差のモジュールの側頭半値幅視野と鼻半値幅視野の差と和との比と前記左眼レンズの発生非点収差のモジュールの側頭半値幅視野と鼻半値幅視野の差と和との比の合計はほぼ０に設定される（（ＴＡ＿ＲＥ−ＮＡ＿ＲＥ）／（ＴＡ＿ＲＥ＋ＮＡ＿ＲＥ）＋（ＴＡ＿ＬＥ−ＮＡ＿ＬＥ）／（ＴＡ＿ＬＥ＋ＮＡ＿ＬＥ）＝０）、請求項２に記載の方法。
【請求項５】
一対の個人専用累進眼用レンズを決定する方法であって、
前記一対のレンズの各々の処方遠方視平均屈折力（ＰＦＶ）を決定する工程と、
前記一対のレンズの各々の処方加入度（Ａ）を決定する工程と、
装着者の有効近方視ゾーンを測定するとともに水平線に対する有効近方視ゾーンの傾斜を測定する工程と、
前記一対のレンズの各々の側頭側と鼻側を判断する工程と、
装着される各レンズ上で及び俯角（α）と方位角（β）に対応する各注視方向に対し、屈折力（Ｐα，β）及び発生非点収差のモジュール（Ａｓｒα，β）を定義する工程と、
前記一対のレンズの各々に対して近方視注視方向（αＰＶ，βＰＶ）を定義する工程と、
前記一対のレンズの各々に対して、前前記近方視注視方向（αＰＶ，βＰＶ）と、前記屈折力が、前記処方遠方視平均屈折力＋前記処方加入度の３／４の値に達する（ＰＦＶ＋３／４＊Ａ）場合の前記レンズの前記側頭側の注視方向（αＰＶ，βＴＰ）との間の一定の俯角（α）における角距離として屈折力の側頭半値幅視野（ＴＰ＿ＬＥ，ＴＰ＿ＲＥ）を定義する工程と、
前記一対のレンズの各々に対して、記近方視注視方向（αＰＶ，βＰＶ）と、前記屈折力が、前記処方遠方視平均屈折力＋前記処方加入度の３／４の値に達する（ＰＦＶ＋３／４＊Ａ）場合の前記レンズの鼻側の注視方向（αＰＶ、βＮＰ）との間の一定の俯角（α）における角距離として屈折力の鼻半値幅視野（ＮＰ＿ＬＥ、ＮＰ＿ＲＥ）を定義する工程と、
前記一対のレンズの各々に対して、前記近方視注視方向（αＰＶ，βＰＶ）と、発生非点収差の前記モジュールが前記処方加入度の４分の１（Ａ／４）の値に達する場合の前記レンズの前記側頭側の注視方向（αＰＶ，βＴＡ）との間の一定の俯角（α）における角距離として発生非点収差のモジュールの側頭半値幅視野（ＴＡ＿ＬＥ，ＴＡ＿ＲＥ）を定義することと、
前記一対のレンズの各々に対して、前記近方視注視方向（αＰＶ，βＰＶ）と、発生非点収差の前記モジュールが前記処方加入度の４分の１の（Ａ／４）の値に達する場合の前記レンズの前記鼻側の注視方向（αＰＶ，βＰＶ）との間の一定の俯角（α）における前記角距離として発生非点収差のモジュールの鼻半値幅視野（ＮＡ＿ＬＥ，ＮＡ＿ＲＥ）を定義する工程と、を含み、
屈折力の側頭半値幅視野と鼻半値幅視野の差と和との比（（ＴＰ＿ＬＥ−ＮＰ＿ＬＥ）／（ＴＰ＿ＬＥ＋ＮＰ＿ＬＥ）、（ＴＰ＿ＲＥ−ＮＰ＿ＲＥ）／（ＴＰ＿ＲＥ＋ＮＰ＿ＲＥ））及び／又は発生非点収差のモジュールの側頭半値幅視野と鼻半値幅視野の差と和との比（（ＴＡ＿ＬＥ−ＮＡ＿ＬＥ）／（ＴＡ＿ＬＥ＋ＮＡ＿ＬＥ）、（ＴＡ＿ＲＥ−ＮＡ＿ＲＥ）／（ＴＡ＿ＲＥ＋ＮＡ＿ＲＥ））は前記装着者の前記有効近方視ゾーンの前記測定された傾斜に基づき前記一対のレンズの各々に対して決定される、方法。
【請求項６】
前記装着者の頭／眼の挙動を判断する工程をさらに含む請求項１又は５に記載の方法であって、屈折力の側頭半値幅視野と鼻半値幅視野の差と和との比（（ＴＰ＿ＬＥ−ＮＰ＿ＬＥ）／（ＴＰ＿ＬＥ＋ＮＰ＿ＬＥ）、（ＴＰ＿ＲＥ−ＮＰ＿ＲＥ）／（ＴＰ＿ＲＥ＋ＮＰ＿ＲＥ））及び／又は発生非点収差のモジュールの側頭半値幅視野と鼻半値幅視野の差と和との比（（ＴＡ＿ＬＥ−ＮＡ＿ＬＥ）／（ＴＡ＿ＬＥ＋ＮＡ＿ＬＥ）、（ＴＡ＿ＲＥ−ＮＡ＿ＲＥ）／（ＴＡ＿ＲＥ＋ＮＡ＿ＲＥ））はさらに、前記装着者の前記頭／眼の挙動に基づき前記一対のレンズの各々に対して決定される、方法。
【請求項７】
前記近方視注視方向は、対応する前記屈折力が、前記レンズの前記処方遠方視平均屈折力ＰＦＶ＋前記レンズの前記処方加入度Ａの５０％と前記レンズの前記処方遠方視平均屈折力ＰＦＶ＋前記レンズの前記処方加入度の１２５％との間に含まれるように前記レンズの経線に属する、請求項１又は５に記載の方法。
【請求項８】
前記近方視注視方向（αＰＶ，βＰＶ）は、前記屈折力が、前記一対のレンズの各々の、前記処方遠方視平均屈折力＋前記処方加入度の１００％に達する場合の前記注視方向として前記一対の前記レンズに対して定義される、請求項１又は５に記載の方法。
【請求項９】
前記近方視注視方向（αＰＶ，βＰＶ）は、前記屈折力が、前記一対のレンズの各々の、前記処方遠方視平均屈折力＋前記処方加入度の８５％に達する場合の前記注視方向として前記一対の前記レンズに対して定義される、請求項１又は５に記載の方法。
【請求項１０】
プロセッサにアクセス可能な１つ又は複数の格納された一連の命令を含むコンピュータプログラム製品であって、前記プロセッサにより実行されると、前記プロセッサに請求項１又は５に記載の工程を実行させる、コンピュータプログラム製品。
【請求項１１】
右利き装着者用の一対の累進眼用レンズであって、前記一対のレンズの各々は処方遠方視平均屈折力（ＰＦＶ）と処方加入度（Ａ）を有し、側頭側と鼻側と前面上で定義された近方視制御点（ＰＶ）とを含み、前記一対のレンズの各々は、装着されると、俯角（α）と方位角（β）に対応する各注視方向に対し、屈折力（Ｐα，β）と発生非点収差のモジュール（Ａｓｒα，β）を有し、
右眼レンズは、
０より大きい又は０にほぼ等しい屈折力値の側頭半値幅視野と鼻半値幅視野の差と和との比（（ＴＰ＿ＲＥ−ＮＰ＿ＲＥ）／（ＴＰ＿ＲＥ＋ＮＰ＿ＲＥ）≧０）、及び／又は
０より大きい又は０にほぼ等しい発生非点収差のモジュールの側頭半値幅視野と鼻半値幅視野の差と和との比（（ＴＡ＿ＲＥ−ＮＡ＿ＲＥ）／（ＴＡ＿ＲＥ＋ＮＡ＿ＲＥ）≧０）を有し、  左眼レンズは、
０レンズより小さい又は０レンズにほぼ等しい屈折力値の側頭半値幅視野と鼻半値幅視野の差と和との比（（ＴＰ＿ＬＥ−ＮＰ＿ＬＥ）／（ＴＰ＿ＬＥ＋ＮＰ＿ＬＥ）≦０）、及び／又は
０より小さい又は０にほぼ等しい発生非点収差のモジュールの側頭半値幅視野と鼻半値幅視野の差と和との比（（ＴＡ＿ＬＥ−ＮＡ＿ＬＥ）／（ＴＡ＿ＬＥ＋ＮＡ＿ＬＥ）≦０）を有し、ここで
屈折力の側頭半値幅視野（ＴＰ＿ＬＥ，ＴＰ＿ＲＥ）は、前記近方視制御点（ＰＶ）と、前記屈折力が、前記処方遠方視平均屈折力＋前記加入度の３／４の値に達する（ＰＦＶ＋３／４＊Ａ）場合の前記レンズの前記側頭側の点との間の一定の俯角（α）における角距離として前記一対のレンズの各々に対して定義され、
屈折力の鼻半値幅視野（ＮＰ＿ＬＥ，ＮＰ＿ＲＥ）は、前記近方視制御点（ＰＶ）と、前記屈折力が、前記処方遠方視平均屈折力＋前記加入度の３／４の値に達する（ＰＦＶ＋３／４＊Ａ）場合の前記レンズの前記鼻側の点との間の一定の俯角（α）における角距離として前記一対のレンズの各々に対して定義され、
発生非点収差のモジュールの側頭半値幅視野（ＴＡ＿ＬＥ，ＴＡ＿ＲＥ）は、前記近方視制御点（ＰＶ）と、発生非点収差の前記モジュールが前記加入度の４分の１（Ａ／４）の値に達する場合の前記レンズの前記側頭側の点との間の一定の俯角（α）における角距離として前記一対のレンズの各々に対して定義され、
発生非点収差のモジュールの鼻半値幅視野（ＮＡ＿ＬＥ，ＮＡ＿ＲＥ）は、前記近方視制御点（ＰＶ）と、発生非点収差の前記モジュールが前記加入度の４分の１（Ａ／４）の値に達する場合の前記レンズの前記鼻側の点との間の一定の俯角（α）における角距離として前記一対のレンズの各々に対して定義され、
前記一対のレンズの各々に対して、Δ≦１０％であり、ここで
Δ＝１００＊ａｂｓ（Ｍａｘ＿Ａｓｒ＿Ｎ−Ｍａｘ＿Ａｓｒ＿Ｔ）／Ｍａｘ（Ｍａｘ＿Ａｓｒ＿Ｎ、Ｍａｘ＿Ａｓｒ＿Ｔ）、
ａｂｓ：絶対値、
Ｍａｘ＿Ａｓｒ＿Ｎ：
前記レンズの鼻領域内、及び
ＰＲＰ（プリズム基準点）を通る注視方向であって不等式（α２＋β２）１／２≦４０°に関するすべての注視方向（α，β）を含む注視方向を中心とするゾーン内
に含まれるすべての注視方向により定義された前記レンズの領域全体にわたって見出された発生非点収差の最大値、
Ｍａｘ＿Ａｓｒ＿Ｔ：
前記レンズの側頭領域内、及び
ＰＲＰ（プリズム基準点）を通る注視方向であって不等式（α２＋β２）１／２≦４０°に関するすべての注視方向（α，β）を含む注視方向を中心とするゾーン内
に含まれるすべての注視方向により定義された前記レンズの領域全体にわたって見出された発生非点収差の最大値、
Ｍａｘ（ｘ，ｙ）：ｘとｙの値のうちのどちらか大きい方
である、一対のレンズ。
【請求項１２】
前記近方視制御点は、前記屈折力が、前記一対のレンズの各々の、処方遠方視平均屈折力＋処方加入度の１００％に達する場合の前記注視方向と交差する前面上の点として前記一対の前記レンズに対して定義される、請求項１１に記載の一対のレンズ。
【請求項１３】
前記近方視制御点は、前記屈折力が、前記一対のレンズの各々の、処方遠方視平均屈折力＋処方加入度の８５％に達する場合の前記注視方向と交差する前面上の点として前記一対のレンズの各々に対して定義される、請求項１１に記載の一対のレンズ。
【請求項１４】
前記右眼レンズの屈折力の側頭半値幅視野と鼻半値幅視野の差と和との比と前記左眼レンズの屈折力の側頭半値幅視野と鼻半値幅視野の差と和との比との合計はほぼ０に等しく設定される（（ＴＰ＿ＲＥ−ＮＰ＿ＲＥ）／（ＴＰ＿ＲＥ＋ＮＰ＿ＲＥ）＋（ＴＰ＿ＬＥ−ＮＰ＿ＬＥ）／（ＴＰ＿ＬＥ＋ＮＰ＿ＬＥ）＝０）、請求項１１に記載の一対のレンズ。
【請求項１５】
前記右眼レンズの発生非点収差のモジュールの側頭半値幅視野と鼻半値幅視野の差と和との比と前記左眼レンズの発生非点収差のモジュールの側頭半値幅視野と鼻半値幅視野の差と和との比との合計はほぼ０に等しく設定される（（ＴＡ＿ＲＥ−ＮＡ＿ＲＥ）／（ＴＡ＿ＲＥ＋ＮＡ＿ＲＥ）＋（ＴＡ＿ＬＥ−ＮＡ＿ＬＥ）／（ＴＡ＿ＬＥ＋ＮＡ＿ＬＥ）＝０）、請求項１１に記載の一対のレンズ。